(57)【特許請求の範囲】
【請求項１】
周縁に鍔部が設けられた前面部と、この前面部の背面側に位置する前記鍔部よりも幅の小さい機器後部とを備え、前記鍔部をパネル面の前面に押し付けて、前記パネル面への取り付けが行われるパネル計器において、
前記機器後部は、
その周面に防水部材として枠状のガスケットおよび枠状の防水カバーの選択的な装着を可能とするガスケット位置決め部と防水カバー脱落防止部を有する防水部材装着部を備え、
前記ガスケットは、
前記パネル計器が前記機器後部を前記パネル面に形成された計器取付孔に嵌め込んで前記パネル面に取り付けられたときにその計器取付孔の前面と前記鍔部との間に位置し、
前記ガスケット位置決め部は、
前記鍔部と隣接し、前記ガスケットの装着に際して、前記ガスケットの内周面と当接して、前記機器後部の周面における前記ガスケットの位置を定め、
前記防水カバーは、
前記パネル計器が前記機器後部を前記パネル面の前面に当接させて前記パネル面に取り付けられたときにそのパネル面と前記鍔部との間に位置し、
前記防水カバー脱落防止部は、
前記防水カバーの装着に際して、前記防水カバーと係合して、前記機器後部の周面からの前記防水カバーの脱落を防止する
ことを特徴とするパネル計器。
【請求項２】
表示部を有しかつ周縁に鍔部が設けられた前面部と、この前面部の背面側に位置する前記鍔部よりも縦、横ともに幅の小さい機器後部とを備え、前記鍔部をパネル面の前面に押し付けて、前記パネル面への取り付けが行われる表示機器において、
前記機器後部は、
その周面に防水部材として枠状のガスケットおよび枠状の防水カバーの選択的な装着を可能とするガスケット位置決め部と防水カバー脱落防止部を有する防水部材装着部を備え、
前記ガスケットは、
前記表示機器が前記機器後部を前記パネル面に形成された機器取付孔に嵌め込んで前記取付面に取り付けられたときにその機器取付孔の前面と前記鍔部との間に位置し、
前記ガスケット位置決め部は、
前記鍔部と隣接し、前記ガスケットの装着に際して、前記ガスケットの内周面と当接して、前記機器後部の周面における前記ガスケットの位置を定め、
前記防水カバーは、
前記表示機器が前記機器後部を前記パネル面の前面に当接させて前記パネル面に取り付けられたときにそのパネル面と前記鍔部との間に位置し、
前記防水カバー脱落防止部は、
前記防水カバーの装着に際して、前記防水カバーと係合して、前記機器後部の周面からの前記防水カバーの脱落を防止する
ことを特徴とする表示機器。
【発明の詳細な説明】
【技術分野】
【０００１】
本発明は、パネルに取り付けて使用されるパネル計器およびパネルや壁に取り付けて使用される表示機器に関する。
【背景技術】
【０００２】
従来より、入力機器からのデータを取り入れて出力機器の動作を制御する制御装置として、プロセスにおける温度・湿度・圧力・流量などを制御する制御装置が用いられている。
【０００３】
この制御装置は、温度・湿度・圧力・流量などの所定のパラメータを設定する操作部や制御する出力機器の状態などを表示する表示部を備え、この操作部や表示部が設けられた面を前面として制御盤などのパネルや壁に取り付けて使用される（例えば、特許文献１〜４参照）。
【０００４】
なお、制御装置をパネルに取り付ける場合、制御装置全体をパネル計器（表示機器）として取り付ける場合もあるし、操作部や表示部が設けられた前面部を本体部と切り離して薄型のパネル計器（表示機器）とし、この薄型のパネル計器（表示機器）をパネルに取り付けて、リード線やコネクタなどで本体部と電気的に接続する場合もある。
【０００５】
本明細書では、パネルに取り付けられる計器をパネル計器と呼ぶのに対し、パネルや壁に取り付けられる表示部を有する計器を表示機器と呼ぶ。表示機器は表示部を有することが必須であるが、パネル計器は表示部を必須とはしない。
【０００６】
従来、パネル計器を制御盤などのパネルに取り付ける場合、次のような取付方法１，２の何れかが用いられていた。
【０００７】
〔取付方法１によるパネル計器の取り付け〕
図１４に従来の取付方法１によるパネル計器の取付構造を示す。図１４（ａ）は正面図、図１４（ｂ）は側面図、図１４（ｃ）は背面図である。図１５にこのパネル計器の取付構造の分解斜視図を示す。図１４および図１５において、１００はパネル計器、１０１はパネル、１０２はガスケット、１０３は取付器具である。
【０００８】
パネル計器１００は、表示・操作部（前面部）１００ａと本体部１００ｂとを備え、表示・操作部１００ａと本体部１００ｂとは一体とされている。また、表示・操作部１００ａには表示部１００ｃと操作部１００ｄとが設けられており、本体部１００ｂは表示・操作部１００ａの背面側に位置している。
【０００９】
このパネル計器１００において、表示・操作部１００ａの周縁は鍔部１００ｅとされている。すなわち、表示・操作部１００ａの幅（鍔部１００ｅの幅）Ｗ１よりも本体部１００ｂの幅Ｗ２が小さくされており、これにより表示・操作部１００ａの周縁が本体部１００ｂの外側にはみ出して鍔部１００ｅとされている。また、本体部１００ｂには、制御演算回路などの回路部が収容されている。
【００１０】
この取付方法１によるパネル計器の取付構造では、図１６に示すように、ＤＩＮ（Deutsche Industrie Norme）規格のパネルカット寸法に従って、パネル１０１にａ×ｂの取付用の開口（計器取付孔）１０１ａを形成する。例えば、本体部１００ｂのサイズを９１．４ｍｍ×９１．４ｍｍとした場合、９２ｍｍ（ａ）×９２ｍｍ（ｂ）の計器取付孔１０１ａを形成する。
【００１１】
そして、本体部１００ｂをこの計器取付孔１０１ａに通してパネル１０１の背面側に位置させて、また表示・操作部１００ａとパネル１０１との間に計器取付孔１０１ａの周囲を囲むように枠状のガスケット１０２を位置させて、本体部１００ｂの上面および下面に取付器具１０３を取り付け、この取付器具１０３に取り付けられている取付ネジ１０４の先端をパネル１０１の背面に突き当てて、締め付けることによって、パネル計器１００をパネル１０１に固定する。
【００１２】
これにより、表示・操作部１００ａの鍔部１００ｅがパネル１０１の前面に押し付けられ、表示・操作部１００ａの鍔部１００ｅの背面と計器取付孔１０１ａの縁面とでガスケット１０２が挾圧され、この挾圧された面がシール面となって、表示・操作部１００ａの鍔部１００ｅとパネル１０１との隙間が塞がれ、防水・防塵の機能が保障される。
【００１３】
この取付方法１によるパネル計器の取付構造では、パネル１０１からパネル計器１００の表示面までの突出寸法を小さくすることができ、意匠性に優れるという長所がある。しかし、パネル計器１００の本体部１００ｂを通すことが可能な比較的大きな計器取付孔１０１ａをパネル１０１に精度よく形成しなければならないという短所もある。
【００１４】
〔取付方法２によるパネル計器の取り付け〕
図１７に従来の取付方法２によるパネル計器の取付構造を示す。図１７（ａ）は正面図、図１７（ｂ）は側面図、図１７（ｃ）は背面図である。図１８にこのパネル計器の取付構造の分解斜視図を示す。図１７および図１８において、２００パネル計器、２０１はパネル、２０２はガスケット、２０３は取付ネジである。
【００１５】
パネル計器２００は、表示・操作部（前面部）２００ａを備え、表示・操作部２００ａには表示部２００ｂと操作部２００ｃとが設けられている。また、表示・操作部２００ａの背面には、計器本体（図示せず）との接続用のコネクタ２００ｄが突出して設けられている。このパネル計器２００を用いる場合、計器本体（本体部）は、パネル計器２００とは別体として設けられる。すなわち、このパネル計器２００の表示・操作部２００ａの背面には本体部はなく、本体部をなくすことによってパネル計器２００の薄型化が図られている。
【００１６】
この取付方法２によるパネル計器の取付構造では、図１９に示すように、パネル２０１に、取付ネジ２０３用の貫通孔２０１ａ（４箇所）と、コネクタ２００ｄ用の丸孔２０１ｂ（１箇所）とを形成する。
【００１７】
そして、表示・操作部２００ａとパネル２０１との間に貫通孔２０１ａおよび丸孔２０１ｂを囲むようにして枠状のガスケット２０２を位置させて、また丸孔２０１ｂに入るようにコネクタ２００ｄを位置させて、パネル２０１の背面側より、貫通孔２０１ａを通して取付ネジ２０３を表示・操作部２００ａの背面に形成されているネジ穴（図示せず）に螺着することにより、パネル計器２００をパネル２０１に固定する。
【００１８】
これにより、表示・操作部２００ａの背面がパネル２０１の前面に押し付けられ、表示・操作部２００ａの背面とパネル２０１の前面とでガスケット２０２が挾圧され、この挾圧された面がシール面となって、表示・操作部２００ａの背面とパネル２０１との隙間が塞がれ、防水・防塵の機能が保障される。
【００１９】
この取付方法２によるパネル計器の取付構造では、パネル２０１にはコネクタ２００ｄが入るような比較的小さな丸孔２０１ｂを形成すればよく、丸孔２０１ｂの寸法精度も高くなくてよいという長所がある。しかし、表示・操作部２００ａの背面に取付ネジ２０３を螺着するためのネジ穴を設ける必要があり、このネジ穴の深さを確保するために、パネル２０１からパネル計器２００の表示面までの突出寸法が大きくなり、意匠性に劣るという短所もある。
【先行技術文献】
【特許文献】
【００２０】
【特許文献１】特開２００４−０４５０９３号公報
【特許文献２】特開２００４−２５７９８８号公報
【特許文献３】特開２０１２−０２８４９３号公報
【特許文献４】特開２００７−１３２８６９号公報
【発明の概要】
【発明が解決しようとする課題】
【００２１】
上述したように、取付方法１，２によるパネル計器の取付構造では、それぞれ長所と短所とがある。取付方法１とするか、取付方法２とするかは、顧客のニーズによる。しかしながら、従来のパネル計器では、顧客のニーズに合わせて、取付方法を変更することはできなかった。
【００２２】
すなわち、取付方法１によるパネル計器１００を用いた場合、このパネル計器１００を取付方法２では取り付けることができず、取付方法２によるパネル計器２００を用いた場合、このパネル計器２００を取付方法１では取り付けることができない。
【００２３】
このように、従来のパネル計器では、防水防塵対策を満足しつつ１機種で取付方法１と２のどちらにも対応させることができず、取付方法１用と取付方法２用の２機種を用意しなければならなかった。なお、上述ではパネル計器を例にとって説明したが、表示機器でも同様の問題が生じる。
【００２４】
本発明は、このような課題を解決するためになされたもので、その目的とするところは、１機種で取付方法１と２のどちらにも対応させることが可能なパネル計器および表示機器を提供することにある。
【課題を解決するための手段】
【００２５】
このような目的を達成するために、本発明に係るパネル計器は、周縁に鍔部が設けられた前面部と、この前面部の背面側に位置する鍔部よりも幅の小さい機器後部とを備え、鍔部をパネル面の前面に押し付けて、パネル面への取り付けが行われるパネル計器において、機器後部は、その周面に防水部材として枠状のガスケットおよび枠状の防水カバーの選択的な装着を可能とする防水部材装着部を備え、ガスケットは、パネル計器が機器後部をパネル面に形成された計器取付孔に嵌め込んでパネル面に取り付けられたときにその計器取付孔の縁面と鍔部との間に位置し、防水カバーは、パネル計器が機器後部をパネル面の前面に当接させてパネル面に取り付けられたときにそのパネル面と鍔部との間に位置することを特徴とする。
【００２６】
このパネル計器は、周縁に鍔部が設けられた前面部と、この前面部の背面側に位置する鍔部よりも幅の小さい機器後部とを備え、機器後部の周面に防水部材として枠状のガスケットおよび枠状の防水カバーの選択的な装着を可能とする防水部材装着部を備えている。
【００２７】
本発明において、防水部材装着部に防水部材としてガスケットを装着すると、この防水部材装着部に装着したガスケットは、パネル計器の機器後部をパネル面に形成された計器取付孔に嵌め込んでパネル面に取り付けたとき、パネル面に形成された計器取付孔の縁面とパネル計器の前面部の周縁に設けられた鍔部との間に位置する。これにより、取付方法１でのパネル計器の取り付けが可能となる。
【００２８】
本発明において、防水部材装着部に防水部材として防水カバーを装着すると、この防水部材装着部に装着した防水カバーは、パネル計器の機器後部をパネル面の前面に当接させてパネル面に取り付けたとき、そのパネル面とパネル計器の前面部の周縁に設けられた鍔部との間に位置する。これにより、取付方法２でのパネル計器の取り付けが可能となる。
【００２９】
また、本発明に係る表示機器は、表示部を有しかつ周縁に鍔部が設けられた前面部と、この前面部の背面側に位置する鍔部よりも幅の小さい機器後部とを備え、鍔部を取付面の前面に押し付けて、取付面への取り付けが行われる表示機器において、機器後部は、その周面に防水部材として枠状のガスケットおよび枠状の防水カバーの選択的な装着を可能とする防水部材装着部を備え、ガスケットは、表示機器が機器後部を取付面に形成された計器取付孔に嵌め込んで取付面に取り付けられたときにその計器取付孔の縁面と鍔部との間に位置し、防水カバーは、表示機器が機器後部を取付面の前面に当接させて取付面に取り付けられたときにその取付面と鍔部との間に位置することを特徴とする。
【００３０】
この表示機器は、周縁に鍔部が設けられた前面部と、この前面部の背面側に位置する鍔部よりも幅の小さい機器後部とを備え、機器後部の周面に防水部材として枠状のガスケットおよび枠状の防水カバーの選択的な装着を可能とする防水部材装着部を備えている。
【００３１】
本発明において、防水部材装着部に防水部材としてガスケットを装着すると、この防水部材装着部に装着したガスケットは、表示機器の機器後部を取付面に形成された計器取付孔に嵌め込んで取付面に取り付けたとき、取付面に形成された計器取付孔の縁面と表示機器の前面部の周縁に設けられた鍔部との間に位置する。これにより、取付方法１での表示機器の取り付けが可能となる。
【００３２】
本発明において、防水部材装着部に防水部材として防水カバーを装着すると、この防水部材装着部に装着した防水カバーは、表示機器の機器後部を取付面の前面に当接させて取付面に取り付けたとき、その取付面と表示機器の前面部の周縁に設けられた鍔部との間に位置する。これにより、取付方法２での表示機器の取り付けが可能となる。
【発明の効果】
【００３３】
本発明によれば、前面部の周縁に鍔部を設け、この縁部が設けられた前面部の背面側に位置する機器後部の周面に、防水部材として枠状のガスケットおよび枠状の防水カバーの選択的な装着を可能とする防水部材装着部を設けたので、防水部材装着部にガスケットを装着することによって取付方法１でのパネルや壁への装着が可能となり、防水部材装着部に防水カバーを装着することによって取付方法２でのパネルや壁への装着が可能となり、１機種で取付方法１と２のどちらにも対応させることが可能となる。
【図面の簡単な説明】
【００３４】
【図１】図１は、本発明の実施の形態に係るパネル計器の正面図、側面図および平面図である。
【図２】図２は、このパネル計器の背面図である。
【図３】図３は、図１（ａ）におけるＩ−Ｉ線断面図である。
【図４】図４は、このパネル計器の取付方法１による取付構造を示す正面図、側面図および背面図である。
【図５】図５は、このパネル計器の取付方法１による取付構造の分解斜視図である。
【図６】図６は、このパネル計器を取付方法１によってパネルに取り付ける際に形成する計器取付孔を示す図である。
【図７】図７は、このパネル計器を取付方法１によってパネルに取り付ける際の機器後部の周面へのガスケットの装着状態を示す図である。
【図８】図８は、ガスケットを装着したパネル計器をパネル面に取り付けた状態を示す図である。
【図９】図９は、このパネル計器の取付方法２による取付構造を示す正面図、側面図および背面図である。
【図１０】図１０は、このパネル計器の取付方法２による取付構造の分解斜視図である。
【図１１】図１１は、このパネル計器を取付方法２によってパネルに取り付ける際に形成する取付ネジ用の貫通孔およびコネクタ用の丸孔を示す図である。
【図１２】図１２は、このパネル計器を取付方法２によってパネルに取り付ける際のパネル計器の機器後部の周面への防水カバーの装着状態を示す図である。
【図１３】図１３は、防水カバーを装着したパネル計器をパネル面に取り付けた状態を示す図である。
【図１４】図１４は、従来の取付方法１によるパネル計器の取付構造を示す正面図、側面図および背面図である。
【図１５】図１５は、従来の取付方法１によるパネル計器の取付構造を示す分解斜視図である。
【図１６】図１６は、従来の取付方法１によってパネル計器をパネルに形成する際に形成する計器取付孔を示す図である。
【図１７】図１７は、従来の取付方法２によるパネル計器の取付構造を示す正面図、側面図および背面図である。
【図１８】図１８は、従来の取付方法２によるパネル計器の取付構造を示す分解斜視図である。
【図１９】図１９は、従来の取付方法２によってパネル計器をパネルに取り付ける際に形成する取付ネジ用の貫通孔およびコネクタ用の丸孔を示す図である。
【発明を実施するための形態】
【００３５】
以下、本発明の実施の形態を図面に基づいて詳細に説明する。図１に本発明の実施の形態に係るパネル計器１の正面図（図１（ａ））、側面図（図１（ｂ））および平面図（図１（ｃ））を示す。また、図２にこのパネル計器１の背面図（図１（ｂ）におけるＡ方向から見た図）を示す。
【００３６】
このパネル計器１は、表示・操作部（前面部）１ａと、この表示・操作部１ａの背面側に位置する機器後部１ｂとを備え、表示・操作部１ａと機器後部１ｂとは一体とされている。また、表示・操作部１ａには表示部１ｃと操作部１ｄとが設けられており、表示・操作部１ａの周縁は鍔部１ｅとされている。すなわち、表示・操作部１ａの幅（鍔部１ｅの幅）Ｗ１よりも機器後部１ｂの幅Ｗ２が小さくされており、これにより表示・操作部１ａの周縁が機器後部１ｂの外側にはみ出して鍔部１ｅとされている。
【００３７】
また、機器後部１ｂの背面には、計器本体（図示せず）との接続用のコネクタ１ｆが突出して設けられている。このパネル計器１を用いた場合、計器本体（本体部）は、パネル計器１とは別体として設けられる。すなわち、図１８に示したパネル計器２００と同様、パネル計器１の表示・操作部１ａの背面には本体部はなく、本体部をなくすことによってパネル計器１の薄型化が図られている。機器後部１ｂの背面には４隅にネジ穴１ｇが形成されている。
【００３８】
このパネル計器１は、表示・操作部１ａの周縁が鍔部１ｅとされている点で、従来のパネル計器２００とは異なっている。また、このパネル計器１では、表示・操作部１ａの背面側に位置する機器後部１ｂの周面１ｈに、防水部材として枠状のガスケット（後述するガスケット３（図５参照））および枠状の防水カバー（後述する防水カバー１３（図１０参照））の選択的な装着を可能とする防水部材装着部１ｉが形成されている。また、機器後部１ｂの周面１ｈには、後述するパネル２に形成される計器取付孔２ａ（図５参照）に嵌め込まれた時のガイドとされるリブ１ｊが形成されている。この防水部材装着部１ｉおよびリブ１ｊは機器後部１ｂの周面１ｈの全周にわたって形成されている。
【００３９】
図３に図１（ａ）におけるＩ−Ｉ線断面図を示す。防水部材装着部１ｉは、ガスケット３の装着に際して、このガスケット３の内周面３ａと当接して、機器後部１ｂの周面１ｈにおけるガスケット３の位置を定めるガスケット位置決め部１ｋと、防水カバー１３の装着に際して、防水カバー１３と係合して、機器後部１ｂの周面１ｈからの防水カバー１３の脱落を防止する防水カバー脱落防止部１ｍとから構成される。ガスケット位置決め部１ｋおよび防水カバー脱落防止部１ｍの詳細については後述する。
【００４０】
〔取付方法１によるパネル計器の取り付け〕
図４に取付方法１によるパネル計器１の取付構造を示す。図４（ａ）は正面図、図４（ｂ）は側面図、図４（ｃ）は背面図である。図５にこの取付方法１によるパネル計器１の取付構造の分解斜視図を示す。
【００４１】
図４および図５において、２はパネル、３はガスケット、４は取付ブラケット、５は取付ブラケット４の上方および下方に取り付けられたパネル計器固定用の取付ネジ（２箇所）、６は取付ブラケット固定用のネジ（４箇所）である。
【００４２】
なお、取付ブラケット４には、ネジ６用の貫通孔４ａ（４箇所）が形成されている。また、取付ブラケット４には、この取付ブラケット４をパネル計器１の機器後部１ｂの背面に固定した際、機器後部１ｂの背面に突出しているコネクタ１ｆを通す逃げ孔の役割を果たす開口４ｂが形成されている。この例では、開口４ｂが４箇所形成されているが、その１箇所をコネクタ１ｆ用の逃げ孔として用いる。
【００４３】
この取付方法１によるパネル計器１の取付構造では、図６に示すように、従来の取付方法１と同様、ＤＩＮ規格のパネルカット寸法に従って、パネル２にａ×ｂの取付用の開口（計器取付孔）２ａを形成する。例えば、パネル計器１の機器後部１ｂのサイズを９１．４ｍｍ×９１．４ｍｍとした場合、９２ｍｍ（ａ）×９２ｍｍ（ｂ）の計器取付孔２ａを形成する。
【００４４】
そして、パネル計器１の機器後部１ｂの周面１ｈにガスケット３を装着する。この機器後部１ｂの周面１ｈへのガスケット３の装着に際しては防水部材装着部１ｉのガスケット位置決め部１ｋ（図３参照）を利用する。
【００４５】
具体的には、ガスケット位置決め部１ｋにガスケット３の内周面３ａを当接させるようにして、ガスケット３を機器後部１ｂの周面１ｈに嵌め込み、表示・操作部１ａの鍔部１ｅの背面にガスケット３を沿わせる（図７参照）。
【００４６】
そして、このガスケット３を装着したパネル計器１の機器後部１ｂを計器取付孔２ａに通してパネル２の背面側に位置させ、パネル２の背面側に位置しているパネル計器１の機器後部１ｂの背面に取付ブラケット４を取り付ける。すなわち、取付ブラケット４に形成されている４箇所の貫通孔４ａを通してネジ６を機器後部１ｂの背面に形成されている４箇所のネジ穴１ｇに螺着することにより、取付ブラケット４をパネル計器１の機器後部１ｂの背面に固定する。
【００４７】
そして、取付ブラケット４の上方および下方に取り付けられている取付ネジ５を回し、この取付ネジ５の先端をパネル２の背面に突き当てて、締め付けることによって、パネル計器１をパネル２に固定する。すなわち、パネル２の背面側から取付ネジ５を締め付けることによって、パネル２とパネル計器１との間にネジ軸力の反力を生じさせ、パネル計器１をパネル２に固定する。
【００４８】
これにより、表示・操作部１ａの鍔部１ｅがパネル２の前面に押し付けられ、表示・操作部１ａの鍔部１ｅの背面と計器取付孔２ａの縁面とでガスケット３が挾圧され（図８参照）、この挾圧された面がシール面となって、表示・操作部１ａの鍔部１ｅとパネル２との隙間が塞がれ、防水・防塵の機能が保障される。
【００４９】
〔取付方法２によるパネル計器の取り付け〕
図９に取付方法２によるパネル計器１の取付構造を示す。図９（ａ）は正面図、図９（ｂ）は側面図、図９（ｃ）は背面図である。図１０にこの取付方法２によるパネル計器１の取付構造の分解斜視図を示す。
【００５０】
図９および図１０において、１２はパネル、１３は防水カバー、１４はパネル計器固定用の取付ネジ（４箇所）である、
【００５１】
この取付方法２によるパネル計器１の取付構造では、図１１に示すように、パネル１２に、取付ネジ１４用の貫通孔１２ａ（４箇所）と、コネクタ１ｆ用の丸孔１２ｂ（１箇所）とを形成する。
【００５２】
そして、パネル計器１の機器後部１ｂの周面１ｈに防水カバー１３を装着する。この機器後部１ｂの周面１ｈへの防水カバー１３の装着に際しては防水部材装着部１ｉの防水カバー脱落防止部１ｍ（図３参照）を利用する。
【００５３】
具体的には、防水カバー脱落防止部１ｍは鍵状の溝とされており、この防水カバー脱落防止部（鍵状の溝）１ｍに防水カバー１３の内周面に沿って形成されている鍵状の凸部１３ａを嵌め込むことによって（図１２参照）、機器後部１ｂの周面１ｈからの防水カバー１３の脱落を防止する。この構造において、防水カバー１３の幅（パネル面に直交する方向の高さ）Ｄ１は、機器後部１ｂの周面１ｈの幅Ｄ２よりも僅かに大きくされている。
【００５４】
そして、この防水カバー１３を装着したパネル計器１の機器後部１ｂの背面を、コネクタ１ｆがパネル１２に形成されている丸孔１２ｂに入るようにしてパネル２の前面に押し当て、パネル１２の背面側より、貫通孔１２ａを通して取付ネジ１４を機器後部１ｂの背面に形成されているネジ穴１ｇに螺着することにより、パネル計器１をパネル１２に固定する。
【００５５】
これにより、パネル計器１全体がパネル１２の前面に押し付けられ、パネル計器１の表示・操作部１ａの鍔部１ｅの背面とパネル１２の前面とで防水カバー１３が挾圧され（図１３参照）、この挾圧された面がシール面となって、表示・操作部１ａの鍔部１ｅとパネル２との隙間が塞がれ、防水・防塵の機能が保障される。また、機器後部１ｂの周面１ｈが防水カバー１３で隠され、意匠性が損なわれることもない。
【００５６】
なお、防水カバー１３を設けずに、機器後部１ｂの背面とパネル１２の前面との間にガスケットを設けることが考えられる。しかし、このようにすると、表示・操作部１ａの鍔部１ｅの背面とパネル１２の前面との間に窪みが生じ、この窪みに水滴や塵が溜まり易くなるので、防水防塵対策上不利となる。これを避けるためには、機器後部１ｂを鍔部１ｅと同幅にすればよいが、このようにすると従来の取付方法２による取付構造（図１７，図１８）と同じとなり、取付方法１ではパネルに取り付けることができなくなる。
【００５７】
以上の説明から分かるように、本実施の形態によるパネル計器１によれば、表示・操作部（前面部）１ａの周縁に鍔部１ｅを設け、この鍔部１ｅが設けられた表示・操作部１ａの背面側に位置する機器後部１ｂの周面１ｈに、防水部材として枠状のガスケット３および枠状の防水カバー１３の選択的な装着を可能とする防水部材装着部１ｉを設けたので、防水部材装着部１ｉにガスケット３を装着することによって取付方法１でのパネルへの装着が可能となり、防水部材装着部１ｉに防水カバー１３を装着することによって取付方法２でのパネルへの装着が可能となり、１機種で取付方法１と２のどちらにも対応させることができるようになる。
【００５８】
なお、上述した実施の形態では、パネル計器１の表示・操作部１ａに表示部１ｃと操作部１ｄとが設けられているものとしたが、表示部１ｃだけが設けられていてもよく、操作部１ｄだけが設けられていてもよい。
【００５９】
また、上述した実施の形態では、パネル計器を例にとって説明したが、表示機器でも同様にして、１機種で取付方法１と２のどちらにも対応させることができる。
【００６０】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【産業上の利用可能性】
【００６１】
本発明は、パネルや壁に取り付けて使用される温度調節器などに利用することが可能である。
【符号の説明】
【００６２】
１…パネル計器、１ａ…表示・操作部（前面部）、１ｂ…機器後部、１ｃ…表示部、１ｄ…操作部、１ｅ…鍔部、１ｈ…周面、１ｉ…防水部材装着部、１ｋ…ガスケット位置決め部、１ｍ…防水カバー脱落防止部、２…パネル、２ａ…開口（計器取付孔）、３…ガスケット、３ａ…内周面、４…取付ブラケット、１２…パネル、１３…防水カバー。
【図１】
0006606408.tif 000002
【図２】
0006606408.tif 000003
【図３】
0006606408.tif 000004
【図４】
0006606408.tif 000005
【図５】
0006606408.tif 000006
【図６】
0006606408.tif 000007
【図７】
0006606408.tif 000008
【図８】
0006606408.tif 000009
【図９】
0006606408.tif 000010
【図１０】
0006606408.tif 000011
【図１１】
0006606408.tif 000012
【図１２】
0006606408.tif 000013
【図１３】
0006606408.tif 000014
【図１４】
0006606408.tif 000015
【図１５】
0006606408.tif 000016
【図１６】
0006606408.tif 000017
【図１７】
0006606408.tif 000018
【図１８】
0006606408.tif 000019
【図１９】
0006606408.tif 000020